(57)【要約】      （修正有）【課題】短期間で製造でき、取り扱いが容易で、養分の補給が可能な栽培用土壌パックを提供する。【解決手段】植物の栽培に用いる土壌をパッケージングして構成され、ピートモス、くん炭および山砂を混合した土壌としての混合物１１を袋体１２に充填して栽培用土壌パック１が構成されている。この構成により、発酵工程を不要とし、短期間での製造が可能となる。また、生ごみや家畜糞を使用していないため、臭いの発生が少なく、取り扱いを容易とすることができる。さらに、混合物が液状の肥料の養分を取り込むため、液状の肥料を散布することで、養分を容易に補給することができる。【選択図】図１
0003234771.tif 000002
【実用新案登録請求の範囲】
【請求項１】
植物の栽培に用いる土壌をパッケージングした栽培用土壌パックであって、
ピートモス、くん炭および山砂を混合した前記土壌としての混合物を袋体に充填して構成されている栽培用土壌パック。
【請求項２】
前記袋体は、生分解性材料で形成されている請求項１記載の栽培用土壌パック。
【請求項３】
前記袋体には、植物の植込または給肥に用いる切込を形成する位置を示す目印が印刷されている請求項１または２記載の栽培用土壌パック。
【請求項４】
前記袋体には、混合物中の余剰な水分の排水に用いる孔を形成する位置を示す目印が印刷されている請求項１から３のいずれかに記載の栽培用土壌パック。
【請求項５】
請求項１から４のいずれかに記載の栽培用土壌パックと、当該栽培用土壌パック内の前記混合物に散布する液状肥料の材料をパッケージングした肥料パックとで構成されている植物栽培キット。
【考案の詳細な説明】
【技術分野】
【０００１】  本考案は、植物の栽培に用いる栽培用土壌パックに関するものである。
【背景技術】
【０００２】  植物の栽培に用いる栽培用土壌として下記特許文献１に開示された植物栽培用土壌が知られている。この植物栽培用土壌は、生ごみの破砕物を木酢液と混合して熟成させた後に粉炭を混ぜ込み、さらに熟成させ、その後再度粉炭を混ぜ込んで製造される。
【先行技術文献】
【特許文献】
【０００３】
【特許文献１】特開２００８−２３７０８３号公報
【考案の概要】
【考案が解決しようとする課題】
【０００４】  ところが、従来の栽培用土壌には改善すべき以下の課題がある。具体的には、上記したような生ごみを主原料としたり、家畜糞を主原料としたりする発酵型の栽培用土壌では、発酵工程が必要なため、製造に長期間を有するという課題がある。また、発酵型の栽培用土壌は、臭いの発生や、取り扱いがし難いという課題もある。また、発酵型の栽培用土壌では、それ自体が含有する養分が植物に吸収されることによって養分が減少し、養分を補給するには、栽培用土壌自体を入れ替える必要があるという課題もある。【０００５】  本考案は、かかる課題を解決すべくなされたものであり、短期間で製造でき、取り扱いが容易で、養分の補給が可能な栽培用土壌パックを提供することを目的とする。
【課題を解決するための手段】
【０００６】  上記課題を解決すべく、請求項１記載の栽培用土壌パックは、植物の栽培に用いる土壌をパッケージングした栽培用土壌パックであって、ピートモス、くん炭および山砂を混合した前記土壌としての混合物を袋体に充填して構成されている。【０００７】  また、請求項２記載の請求項１記載の栽培用土壌パックにおいて、前記袋体は、生分解性材料で形成されている。【０００８】  また、請求項３記載の栽培用土壌パックは、請求項１または２記載の栽培用土壌パックにおいて、前記袋体には、植物の植込または給肥に用いる切込を形成する位置を示す目印が印刷されている。【０００９】  また、請求項４記載の栽培用土壌パックは、請求項１から３のいずれかに記載の栽培用土壌パックにおいて、前記袋体には、混合物中の余剰な水分の排水に用いる孔を形成する位置を示す目印が印刷されている請求項１から３のいずれかに記載の栽培用土壌パック。【００１０】  また、請求項５記載の植物栽培キットは、請求項１から４のいずれかに記載の栽培用土壌パックと、当該栽培用土壌パック内の前記混合物に散布する液状肥料の材料をパッケージングした肥料パックとで構成されている。
【考案の効果】
【００１１】  本考案に係る栽培用土壌パックによれば、ピートモス、くん炭および山砂を混合した混合物を袋体に充填して構成したことにより、発酵工程が不要なため、短期間で製造することができる。また、生ごみや家畜糞を使用していないため、臭いの発生が少なく、取り扱いを容易とすることができる。さらに、混合物が液状の肥料の養分を取り込むため、液状の肥料を散布することで、養分を容易に補給することができる。【００１２】  また、本考案に係る栽培用土壌パックによれば、生分解性材料で袋体を形成したことにより、袋体を分離して処分することなく袋体を分解させることができる。【００１３】  また、本考案に係る栽培用土壌パックによれば、植物の植込または給肥に用いる切込を形成する位置を示す目印を袋体に印刷したことにより、植物を植え込むのに適した位置を使用者に把握させることができるため、適正な栽培を行わせることができる。また、植え込んだ植物に対する給肥のために混合物１１を露出させるために袋体１２に形成する切り込みの位置を使用者に把握させることができるため、適切かつ容易な給肥を行わせることができる。【００１４】  また、本考案に係る栽培用土壌パックによれば、混合物中の余剰な水分を排水するための孔を形成する位置を示す目印を袋体に印刷したことにより、適正な位置に排水用の孔を形成することができるため、適正な水分状態で植物を栽培することができる。【００１５】  また、本考案に係る植物栽培キットによれば、上記の栽培用土壌パックと、栽培用土壌パック内の混合物に散布する液状肥料の材料をパッケージングした肥料パックとで構成したことにより、栽培用土壌パックを用いた植物の栽培に適した液状肥料を給肥することができる。
【図面の簡単な説明】
【００１６】
【図１】植物栽培キット１００の構成を示す構成図である。
【図２】栽培用土壌パック１を下面側から見た斜視図である。
【考案を実施するための形態】
【００１７】  以下、本考案に係る栽培用土壌パックおよび植物栽培キットの実施の形態について、図面を参照して説明する。
【００１８】  本考案に係る植物栽培キットの一実施例としての植物栽培キット１００を図１に示す。植物栽培キット１００は、同図に示すように、栽培用土壌パック１および肥料パック２ａ，２ｂを備えて植物の栽培に好適に構成されている。
【００１９】  栽培用土壌パック１は、ピートモス、くん炭および山砂を混合した栽培用土壌としての混合物１１を袋体１２に充填（パッケージング）して構成されている。この場合、混合物１１を構成するピートモス、くん炭および山砂の比率は、ピートモスが６０％〜８０％の範囲内、くん炭が１０％〜３０％の範囲内、山砂が５％〜１５％の範囲内である事が好ましく、本実施例では、ピートモスが７０％、くん炭が２１％、山砂が９％に調整されている。
【００２０】  袋体１２は、生分解性材料で形成されている。本実施例では、生分解性材料の一例として生分解性プラスチックが用いられている。このため、この栽培用土壌パック１では、袋体１２を分離して処分することなく、袋体１２を自然に分解させることが可能となっている。
【００２１】  また、袋体１２の一方の面（上面）には、図１に示すように、植物の植込または給肥に用いる切込を形成する位置を示す目印として機能する切込ガイド表示（目印）が印刷されている。この例では、栽培する植物の根鉢部分を挿入する際に使用する円形の開口部を形成するための切込ガイド表示２１ａと、植え込んだ植物に対して液状肥料を給肥する際に袋体１２の混合物１１を露出させるため切込を形成するための切込ガイド表示２１ｂが印刷されている。この切込ガイド表示２１ａ，２１ｂを印刷したことで、植物の栽培に適した位置に切込を形成することができる。また、袋体１２の他方の面（下面）には、図２に示すように、袋体１２に充填されている混合物１１中の余剰な水分の排水に用いる孔を形成する位置を示す目印として機能する水抜孔ガイド表示２２が印刷されている。この水抜孔ガイド表示２２を印刷したことで、混合物１１の適正な水分状態を維持するのに適した位置に排水用の水抜孔を形成することができる。
【００２２】  肥料パック２ａ，２ｂは、栽培用土壌パック１内の混合物１１に散布する液状肥料用の肥料材料３２ａ，３２ｂを容器３１ａ，３１ｂにそれぞれパッケージングして構成されている。本例では、肥料材料３２ａとして、アンモニア性窒素、硝酸性窒素、水溶性りん酸、水溶性加里、水溶性苦土、水溶性マンガンおよび水溶性ほう素を含んだ液体状の肥料材料が用いられ、肥料材料３２ｂとして、硝酸性窒素を含んだ粉状の肥料材料が用いられている。この肥料材料３２ａ，３２ｂは、予め規定された適切な濃度となるように水に溶解させて（希釈して）混合し、液状肥料として混合物１１に散布される。
【００２３】  次に、植物栽培キット１００の使用方法を説明する。
【００２４】  例えば、家庭等で植物栽培キット１００を用いて植物を栽培するときには、まず、栽培用土壌パック１の袋体１２の下面に印刷されている水抜孔ガイド表示２２（図２参照）の位置に棒などを突き刺して排水用の水抜孔を形成する。次いで、袋体１２の上面に印刷されている切込ガイド表示２１ａ（図１参照）に沿ってカッター等で切り込みを入れることで、袋体１２に円形の開口部を形成する。続いて、袋体１２の上面に印刷されている切込ガイド表示２１ｂに沿ってカッター等で切り込みを入れる。次いで、栽培する植物の根鉢部分を開口部から混合物１１内に挿入して植え付ける。
【００２５】  次に、液状肥料を作製する。具体的には、肥料パック２ａの液状の肥料材料３２ａを規定の濃度となるように水で希釈して第１液とする。次いで、肥料パック２ｂの肥料材料３２ｂを水に溶かして規定の濃度となるように調製して第２液とする。続いて、第１液および第２液を規定された比率で混合して液状肥料とする。
【００２６】  次に、作製した液状肥料を給肥する。この場合、袋体１２の上面に切り込み（切込ガイド表示２１ｂに沿った切り込み）が形成されているため、切り込みによって分割された袋体１２の上面を捲って混合物１１が露出させることで、混合物１１に対して液状肥料を十分に給肥することができる。続いて、給肥後、分割された袋体１２の上面を元に戻して混合物１１を覆う。このようにすることで、混合物１１の乾燥や直射日光による混合物１１の劣化を防ぐことができる。
【００２７】  上記したように、植物栽培キット１００を用いることで、プランターや栽培鉢を用いることなく、栽培用土壌パック１の状態のまま植物を栽培することが可能となる。なお、プランターや栽培鉢等に栽培用土壌パック１の混合物１１を充填して植物を栽培することもできる。
【００２８】  また、圃場において植物栽培キット１００を用いて植物を栽培するときには、必要数の栽培用土壌パック１を圃場に配置する。次いで、上記した家庭における栽培方法と同様にして、開口部および切り込みを形成し、続いて、栽培する植物の根鉢部分を開口部から混合物１１に挿入して植え付ける。次いで、切り込みによって分割された袋体１２の上面を捲って混合物１１が露出させ、混合物１１に対して液状肥料を給肥し、給肥後、袋体１２の上面を元に戻して混合物１１を覆う。
【００２９】  上記したように、圃場においても栽培用土壌パック１の状態のまま植物を栽培することが可能となる。このため、圃場の土壌（地面）の状態が植物の生育に適していない場合においても、植物栽培キット１００を用いることで、良好な栽培環境で植物を栽培することができる。
【００３０】  また、栽培用土壌パック１の袋体１２を破袋して混合物１１を圃場に敷いて植物を栽培することができる。この場合、この栽培用土壌パック１では、袋体１２が生分解性材料で形成されているため、まま放置しても袋体１２が分解される。このため、袋体１２を回収して処分する手間を省くことができる。
【００３１】  このように、この栽培用土壌パック１によれば、ピートモス、くん炭および山砂を混合した混合物１１を袋体１２に充填して栽培用土壌パック１構成したことにより、発酵工程が不要なため、短期間で製造することができる。また、生ごみや家畜糞を使用していないため、臭いの発生が少なく、取り扱いを容易とすることができる。さらに、ピートモスが液状の肥料の養分を取り込むため、液状の肥料を散布することで、養分を容易に補給することができる。
【００３２】  また、この栽培用土壌パック１によれば、生分解性材料で袋体１２を形成したことにより、袋体１２を分離して処分することなく不要となった袋体１２を分解させることができる。
【００３３】  また、この栽培用土壌パック１によれば、植物の植込または給肥に用いる切込を形成する位置を示す切込ガイド表示２１ａ，２１ｂを袋体１２に印刷したことにより、栽培用土壌パック１における植物を植え込むのに適した位置を使用者に把握させることができるため、適正な栽培を行わせることができる。また、植え込んだ植物に対する給肥のために混合物１１を露出させるために袋体１２に形成する切り込みの位置を使用者に把握させることができるため、適切かつ容易な給肥を行わせることができる。
【００３４】  また、本考案に係る栽培用土壌パックによれば、混合物１１中の余剰な水分の排水に用いる孔を形成する位置を示す水抜孔ガイド表示２２を袋体１２に印刷したことにより、適正な位置に排水用の孔を形成することができるため、適正な水分状態で植物を栽培することができる。
【００３５】  また、この植物栽培キット１００によれば、上記の栽培用土壌パック１と、栽培用土壌パック１内の混合物１１に散布する液状肥料の肥料材料３２ａ，３２ｂをパッケージングした肥料パック２ａ，２ｂとで構成したことにより、栽培用土壌パックを用いた植物の栽培に適した液状肥料を給肥することができる。
【００３６】  なお、上記した栽培用土壌パック１および植物栽培キット１００は、本考案に係る栽培用土壌パックおよび植物栽培キットの一例であって、適宜変更した構成を採用することができる。例えば、生分解性材料としての生分解性プラスチックで袋体１２を形成した例について上記したが、他の生分解性材料（例えば、紙等の植物由来材料）で袋体１２を形成することもできる。また、切込ガイド表示２１ａ，２１ｂや水抜孔ガイド表示２２を袋体１２に印刷した例について上記したが、これらを印刷していない袋体１２を採用することもできる。また、肥料パック２ａ，２ｂにパッケージングされた上記の肥料材料３２ａ，３２ｂは一例であって、適宜変更することができる。
【符号の説明】
【００３７】    １  栽培用土壌パック
１１  混合物
１２  袋体
２１ａ，２１ｂ  切込ガイド表示
２２  水抜孔ガイド表示
２ａ，２ｂ  肥料パック
３１ａ，３１ｂ  容器
３２ａ，３２ｂ  肥料材料
１００  植物栽培キット
【図１】
0003234771.tif 000003
【図２】
0003234771.tif 000004